(57)【要約】【課題】本発明は苗株の成育方法にかかり、炭そ病の胞子が雨や潅水のしぶきの跳ね上がりに混って飛散することのない成育方法及びそれに用いる資材を提供する。【解決手段】苺株を土壌に成育する方法であって、苺株の根部に柔軟な三次元網状構造資材をあてがい、当該根部をこの構造材を通過して土壌中に成長・活着させ、雨や潅水時におけるしぶきの跳ね上がりを防止したことを特徴とする苺株の成育方法。【選択図】図２
2014045747.tif 000002
【特許請求の範囲】
【請求項１】
苺株を土壌に成育する方法であって、苺株の根部に柔軟な三次元網状構造資材をあてがい、当該根部をこの構造材を通過して土壌中に成長・活着させ、雨や潅水時におけるしぶきの跳ね上がりを防止したことを特徴とする苺株の成育方法。
【請求項２】
請求項１に用いられる柔軟な三次元網状構造資材であって、通気・通水性を有する柔軟な三次元網状構造資材。
【請求項３】
資材の厚さが、１〜５ｍｍである請求項２記載の柔軟な三次元網状構造資材。
【請求項４】
前記の資材は、膜なしポリウレタンフォーム、発泡成形時のセル膜を除去しポリウレタンフォーム、不織紙、不織布、ロックウール、パームロック、各種繊維集合体から選ばれたものである請求項２及び３記載の柔軟な三次元網状構造資材。
【請求項５】
資材がポリウレタンフォームであって、発泡成形時のセル数は、１０〜３５個／インチである請求項２乃至４いずれか１に記載の柔軟な三次元網状構造資材。
【請求項６】
資材の大きさは、苺株を入れるポットを覆うに足る大きさである請求項２乃至５いずれか１記載の柔軟な三次元網状構造資材。
【請求項７】
資材のほぼ中央に、苺株の根部が通過するための小孔を形成した請求項２乃至６いずれか１記載の柔軟な三次元網状構造資材。
【請求項８】
資材の周囲から、苺株の根部の位置に達するスリットが形成された請求項２乃至７いずれか１記載の柔軟な三次元網状構造資材。
【発明の詳細な説明】
【技術分野】
【０００１】
本発明は炭そ病にかかりにくい苺株の成育方法及びこれに用いる成育資材に関するものである。
【背景技術】
【０００２】
近年、各地で苺の栽培が行われるようになってきた。この苺の栽培は、通常４月ごろに定植した親株から発生するランナーに着いた子苗を、６月にポット内の土壌や苗床に受けて活着させ、９月まで育苗したものを本圃へ定植する方法が採られている。
【０００３】
しかるに、苺株に最も注意しなくてはならないことは、炭そ病に伝染することである。この炭そ病は葉・葉柄・ランナーなど局部的に病斑形成する場合と、株が萎ちょう・枯死する全身的な病状があり、苺に対する最も嫌われる病気である。この炭そ病の伝染源は潜在感染した親株や土中に残った発病株残渣によるものである。そして、これらから形成された胞子が雨や潅水のしぶきなどと混って飛散することによって伝染する。
【０００４】
炭そ病の感染機会は、苺の親株にあっても、子苗の育苗時にあっても発生するものであり、子苗の育苗の場合にあっては、例えば高設育苗方法が提案され、水耕栽培との組み合わせ方法が良いとされている。この子苗の育苗方法を改良した技術が特許文献１に提案されている。
かかる特許文献１に記載の育苗方法の概要は、親株を植生した栽培ポットから成長する子苗を下方へ伸長させるようにし、成長した子苗の根部を高吸水繊維に活着せしめ、この繊維に水分や栄養分を供給して子苗を成長させ、所定の成長後に親株から切り離し、この繊維とともに本圃に植え付ける技術である。
【０００５】
しかるに、この技術の欠点は高吸水繊維に水分や栄養分を絶やしてはならない点であり、例えば、水分が枯渇した場合には子苗が枯れてしまうこととなる。そして、この方法にあっては、親株の炭そ病の感染対策が示されていないという問題もあり、充分な対策となっていない。
【先行技術文献】
【特許文献】
【０００６】
【特許文献１】特開平１１−１８５６４号公報
【特許文献２】特開２００３−２６８６６８号公報
【特許文献３】特公昭４３−１６３２４号公報
【発明の概要】
【発明が解決しようとする課題】
【０００７】
本発明は苺の親株の炭そ病の感染対策のみならず、苺の子苗の育苗時における感染対策を提供するものである。例えば子苗の育苗について言えば、定植した親株から発生するランナーに着いた子苗をポット内の土壌や苗床に受けて活着させる育苗方法にあって、極めて簡単な方法で炭そ病の胞子が雨や潅水のしぶきなどと混って飛散することのない育苗方法及びそれに用いる資材を提供するものである。
【課題を解決するための手段】
【０００８】
本発明の第１は苺株を土壌に成育する方法であって、苺株の根部に柔軟な三次元網状構造資材をあてがい、当該根部をこの構造材を通過して土壌中に成長・活着させ、雨や潅水時におけるしぶきの跳ね上がりを防止したことを特徴とする苺株の成育方法である。
【０００９】
本発明の第２は上記の苺株の成育方法に用い、、雨や潅水時におけるしぶきの跳ね上がりを防止する柔軟な三次元網状構造資材であって、通気・通水性を有する柔軟な三次元網状構造資材であり、好ましくは、膜なしポリウレタンフォーム、発泡成形時のセル膜を除去しポリウレタンフォーム、ロックウール、パームロック、各種繊維集合体、不織紙から選ばれたものである。
【００１０】
かかる資材の更に好ましい例は、かかる資材が発泡成形時のセル膜を除去しポリウレタンフォームであって、発泡成形のセル数は、１０〜３５個／インチのフォームである。
【００１１】
そして、この資材の厚さが１〜５ｍｍ程度、大きさは苺株の土壌を入れるポットを覆うに足る大きさであり、好ましくは、資材のほぼ中央に苺株の根部が通過するための小孔を形成したもので、更には、資材の周囲から根部の位置に達するスリットが形成された資材である。
【発明の効果】
【００１２】
本発明の第１は従来から行われている苺株成育方法の改良であって、極めて簡単な方法で炭そ病の胞子が雨や潅水のしぶきなどと混って飛散することのない成育方法を提供できたものであり、本発明の第２はそのために用いる資材であり、従来より苺株成育方法には全く用いられたことのない資材を採用し、これを特殊な用い方をすることによって炭そ病の発生のない特徴ある成育方法を提供できたものである。
【図面の簡単な説明】
【００１３】
【図１】図１は本発明の第１の成育方法の全体を示す図である。
【図２】図２はその拡大断面図である。
【図３】図３は本発明の第２の資材の平面図及び中央断面図である。
【図４】図４は資材の変形例を示す平面図及び中央断面図である。
【図５】図５は資材の更なる変形例を示す平面図である。
【発明を実施するための形態】
【００１４】
以下、本発明の第１及び第２の形態をまとめて説明するが、前記したように、苺株を得る際には炭そ病の伝染が最も避けなければならない要件である。炭そ病は、胞子が雨や潅水のしぶきの跳ね上がりなどと混って飛散することが主原因であるところ、本発明の第１はこの炭そ病の伝染を防ぐために簡便な方法でしかも確実に防ぐことを可能としたものである。
【００１５】
本発明の第１にあって、苺株に対して雨や潅水のしぶきを防ぐために今までに全く使用されたことのない資材、即ち、本発明の第２の資材を苺株の根部に敷設してしぶきの跳ね上がりを防止し、一方で、根部をこの資材を通過して成育土壌中に成長・活着させることによってその目的が達成されるものである。
【００１６】
本発明の第２の資材、即ち柔軟な三次元網状構造資材は、いわゆるへちま状の三次元網状構造を有し、柔軟で通気・通水性の素材であり、有機又は無機の素材が存在し、例えば、ロックウール、パームロック、各種繊維集合体(例えば特許文献２)、不織布、不織紙、ポリウレタンフォーム等が挙げられる。この資材の厚さは１〜５ｍｍ程度である。これは雨や潅水のしぶきの跳ね上がりが生じるのを防ぐための厚さであり、薄すぎの場合には跳ね上がりが生じることとなり、厚すぎの場合には根部の成長を妨げることとなるからである。
【００１７】
資材の大きさは、ポットに成育土壌を入れる場合には、このポットをほぼ覆う大きさであり、こうすることによってしぶきの跳ね上がりの発生が防止されることとなる。
そして、好ましくは、資材のほぼ中央に、苺株の根部が通過するための小孔を形成したもので、更には、資材の周囲から、苺株の根部の位置に達するスリットが形成された資材である。こうすることによって、根部の成長が妨げられず、又、苺株のどの段階からも資材の適用や交換が可能となったものである。
【００１８】
好ましい資材としては、軟質のポリウレタンフォーム資材であり、発泡成形時のセル膜を除去した資材で、いわゆる三次元網状構造とした資材である。この資材の発泡成形時のセル数は、１０〜３５個／インチ程度である。セル数が多すぎると根部の成長が妨げられやすくなる可能性があり、セル数が少ないとしぶきが生じてしまうことともなる。資材の厚さとセル数は相互に関連して考えるべきである。
【００１９】
発泡成形時のセル膜を除去してポリウレタンフォームを三次元網状構造化する技術は、公知の技術がそのまま採用できることは勿論であり、古くはアルカリ等の化学薬品処理によってセル膜を除去する技術が中心であったが、近年では、爆発性のガスを用い、爆発エネルギーによって破膜する技術（爆発処理法）が主流をなしている（特許文献３）。
＜本発明の第１の実施例＞
【００２０】
図１は本発明の第１の苺株成育方法の一例を示す全体図であり、図２はその拡大断面図である。この例では、苺の親株から子苗を得る際に本発明を適用した例であり、苺の親株１０はポット１１内の土壌１２に植生されており、この親株１０よりランナー１３が成長している。そして、ランナー１３に子苗１４が発芽した後、根部１５に本発明の第２の資材２０をあてがいつつ、育苗土壌１６を入れたポット１７を配置する。子苗１４の根部１５は資材２０を貫いて育苗土壌１６に活着することとなる。この例では親株１０にあっても資材２０を適用してある。資材２０は、ここでは発泡成形時のセル膜を除去してポリウレタンフォームを用いたものであり、セル数は２５個／インチのフォームで、厚さは２ｍｍであった。
【００２１】
この後、所定の期間経過後、所定の時期に苗を本圃に植え替えることとなる。尚、本圃へはポットから取り出された子苗が資材を付けたまま植えつけることが一般的であるが、更に言えば、炭そ病にかかっていない苺株を得、後述する本資材(特に第５図の資材)を適用しつつ本圃に植えつけることも可能である。
【００２２】
図２はこのようにして得られた子苗（苺株）１４の拡大断面図である。苺株が活着した土壌１２、１６に対して資材２０が存在することにより、例え雨や潅水時にあってもこれらの土壌１２、１６からのしぶきの跳ね上がりは生ずることなく、炭そ病の発生の主原因が抑えられることとなったものである。
＜本発明の第２の実施例＞
【００２３】
図３は本発明の第２の資材２０の平面図及び中央断面図である。この例ではセル数２５個／インチの軟質ポリウレタンフォーム２１のセル膜を爆発処理法によって除去したものであり、厚さが２ｍｍで、土壌が入れられるポットの直径に合わせて、資材の直径を１００ｍｍとしたものである。
【００２４】
図４は本発明の第２の資材２０の変形例を示す平面図及び中央断面図である。この例では、図３に示す軟質ポリウレタンフォーム２１の中央に１０ｍｍの小孔２２を形成したものであり、これは苺株から伸びる根部にこの小孔２２を対応させ、根部の成長・活着を促すものである。尚、この小孔２２は一つとは限らず、複数の小孔を形成するものであってもよい。
【００２５】
図５は本発明の第２の資材２０（図例では図４に示した資材）の更なる変形例を示す平面図である。この例にあっては、資材２０の周囲から、苺株の根部の位置（通常は中央部）に達するスリット２３が形成された資材である。スリット２３の形成は、図３に示す資材でも適用可能であることは勿論である。いずれにしてもこのスリット２３を広げて苺株の根部に資材２０を側面からはめ込むことが可能となったものである。
【産業上の利用可能性】
【００２６】
本発明は苺株の成育方法の改良であって、極めて簡単な方法で炭そ病の胞子が雨や潅水のしぶきの跳ね上がりなどと混って飛散することのない成育方法を提供できたものであり、苺株の成育方法のみならず、親株からランナーを介して子苗を得る技術に広く適用可能であり、その産業的効果はきわめて高い。
【００２７】
更に、雨や潅水によるしぶきの跳ね上がりは苺株周辺からだけではなく、苺株が置かれる棚や通路からも跳ね上がるが、ここで用いる資材をこれらの個所に敷設することによりしぶきの跳ね上がりがなくなり、苺株における炭そ病の発生が著しく減少することとなる。
【符号の説明】
【００２８】
１０  親株
１１  ポット
１２  土壌
１３  ランナー
１４  子苗
１５  根部
１６  育苗土壌
１７  ポット
２０  資材
２１  軟質ポリウレタンフォーム
２２  小孔
２３  スリット
【図１】
2014045747.tif 000003
【図２】
2014045747.tif 000004
【図３】
2014045747.tif 000005
【図４】
2014045747.tif 000006
【図５】
2014045747.tif 000007